(57)【要約】      （修正有）【課題】流動的なトラフィックに対して動的に対応する。【解決手段】無線基地局１０９又は制御装置（端末／基地局管理装置１１０）は、無線端末１０１を一意に識別するための識別情報及び無線端末の位置の情報を通信品質制御ポリシー制御装置１０４に送信する。パケット処理ゲートウェイ１０３は、無線端末に提供されているコネクション毎のデータ量を測定し、測定したデータ量をポリシー制御装置に送信する。ポリシー制御装置は、受信した識別情報及びデータ量に基づいて輻輳状態にあるコネクションを特定し、特定されたコネクション及び当該コネクションが提供されている無線端末の識別情報システム選択をポリシー配信装置１０５に送信する。ポリシー配信装置は、無線端末の位置の情報に基づいて無線端末の接続先となる第２の無線通信方式の無線基地局を選択し、選択された無線基地局へ接続するための情報を無線端末に送信する。【選択図】図１
2016149619.tif 000002
【特許請求の範囲】
【請求項１】
無線端末と通信する無線通信システムであって、
前記無線端末と第１の無線通信方式によって通信する無線基地局と、前記無線基地局を制御する制御装置と、ユーザデータを転送するゲートウェイ装置と、前記無線端末との通信に適用されるポリシーを管理するポリシー制御装置と、前記無線端末との通信に適用されるポリシーを配信するポリシー配信装置とを備え、
前記無線基地局又は前記制御装置は、前記無線端末を一意に識別するための識別情報及び前記無線端末の位置の情報を前記ポリシー制御装置に送信し、
前記ゲートウェイ装置は、前記無線端末に提供されているコネクション毎のデータ量を測定し、前記測定したデータ量を前記ポリシー制御装置に送信し、
前記ポリシー制御装置は、受信した識別情報及びデータ量に基づいて輻輳状態にあるコネクションを特定し、前記特定されたコネクション及び当該コネクションが提供されている無線端末の識別情報を前記ポリシー配信装置に送信し、
前記ポリシー配信装置は、前記無線端末の位置の情報に基づいて前記無線端末の接続先となる第２の無線通信方式の無線基地局を選択し、前記選択された無線基地局へ接続するための情報を前記無線端末に送信することを特徴とする無線通信システム。
【請求項２】
請求項１に記載の無線通信システムであって、
前記ポリシー制御装置は、前記コネクション毎に定められた閾値と前記データ量とを比較することによって、前記コネクションが輻輳状態にあるかを判定することを特徴とする無線通信システム。
【請求項３】
請求項１又は２に記載の無線通信システムであって、
前記ポリシー制御装置は、前記無線端末の識別情報、前記コネクション毎のデータ量及び前記コネクション毎に定められた閾値を関連付けて記憶することを特徴とする無線通信システム。
【請求項４】
無線端末との通信に適用されるポリシーを管理するポリシー制御装置であって、
前記無線端末と通信する無線通信システムは、前記ポリシー制御装置と、前記無線端末と第１の無線通信方式によって通信する無線基地局と、前記無線基地局を制御する制御装置と、ユーザデータを転送するゲートウェイ装置と、前記無線端末との通信に適用されるポリシーを配信するポリシー配信装置とを有し、
前記ポリシー制御装置は、
前記無線端末を一意に識別するための識別情報及び前記無線端末の位置の情報を前記無線基地局又は前記制御装置から受信し、
前記無線端末に提供されているコネクション毎に測定したデータ量を前記ゲートウェイ装置から受信し、
受信した識別情報及びデータ量に基づいて輻輳状態にあるコネクションを特定し、前記特定されたコネクション及び当該コネクションが提供されている無線端末の識別情報を、第２の無線通信方式の無線基地局へ接続するための情報を前記無線端末に送信するために、前記ポリシー配信装置に送信することを特徴とするポリシー制御装置。
【請求項５】
請求項４に記載のポリシー制御装置であって、
前記コネクション毎に定められた閾値と前記データ量とを比較することによって、前記コネクションが輻輳状態にあるかを判定することを特徴とするポリシー制御装置。
【請求項６】
請求項４又は５に記載のポリシー制御装置であって、
前記無線端末の識別情報、前記コネクション毎のデータ量及び前記コネクション毎に定められた閾値を関連付けて記憶することを特徴とするポリシー制御装置。
【請求項７】
無線通信システムで実行される通信制御方法であって、
前記無線通信システムは、無線端末と第１の無線通信方式によって通信する無線基地局と、前記無線基地局を制御する制御装置と、ユーザデータを転送するゲートウェイ装置と、前記無線端末との通信に適用されるポリシーを管理するポリシー制御装置と、前記無線端末との通信に適用されるポリシーを配信するポリシー配信装置とを備え、
前記方法は、
前記無線基地局又は前記制御装置が、前記無線端末を一意に識別するための識別情報及び前記無線端末の位置の情報を前記ポリシー制御装置に送信し、
前記ゲートウェイ装置が、前記無線端末に提供されているコネクション毎のデータ量を測定し、前記測定したデータ量を前記ポリシー制御装置に送信し、
前記ポリシー制御装置が、受信した識別情報及びデータ量に基づいて輻輳状態にあるコネクションを特定し、前記特定されたコネクション及び当該コネクションが提供されている無線端末の識別情報を前記ポリシー配信装置に送信し、
前記ポリシー配信装置が、前記無線端末の位置の情報に基づいて前記無線端末の接続先となる第２の無線通信方式の無線基地局を選択し、前記選択された無線基地局へ接続するための情報を前記無線端末に送信することを特徴とする通信制御方法。
【請求項８】
請求項７に記載の通信制御方法であって、
前記ポリシー制御装置は、前記コネクション毎に定められた閾値と前記データ量とを比較することによって、前記コネクションが輻輳状態にあるかを判定することを特徴とする通信制御方法。
【請求項９】
請求項７又は８に記載の通信制御方法であって、
前記ポリシー制御装置は、前記無線端末の識別情報、前記コネクション毎のデータ量及び前記コネクション毎に定められた閾値を関連付けて記憶することを特徴とする通信制御方法。
【発明の詳細な説明】
【技術分野】
【０００１】
本発明は、無線通信システムにおける通信制御方法に関する。
【背景技術】
【０００２】
移動通信システムの標準化団体３ＧＰＰでは、昨今のスマートフォンによるインターネットへのアクセスによるトラフィックの急増について検討している。３ＧＰＰは、ＬＴＥだけではトラフィックを処理しきれなくなることを想定し、状況に応じてＬＴＥからＷｉＦｉなどの他のアクセスシステムへ切り替えることによる、ＬＴＥへのトラフィックの集中を回避することを検討している。
【先行技術文献】
【非特許文献】
【０００３】
【非特許文献１】３ＧＰＰ標準  ＴＲ２３．７０５  Ｖ０．１１．０  （６．１．５．５．２項）
【非特許文献２】３ＧＰＰ標準  ＴＳ２４．３０２  Ｖ１０．７．０  Ａｎｎｅｘ  Ａ
【発明の概要】
【発明が解決しようとする課題】
【０００４】
前述した非特許文献１に記載された技術では、コアネットワーク側でＡＰＮ単位で輻輳検知するが、輻輳回避手段としてトラフィックオフロードを採用していない。また、非特許文献２に記載された技術では、特定のＡＰＮのＰＤＮコネクションを静的にｎｏｎ−３ＧＰＰ  Ａｃｃｅｓｓに振り分けるが、輻輳検知を契機にダイナミックにトラフィックをオフロードしていない。
【０００５】
すなわち、３ＧＰＰ及びＩＥＴＦで規定されているＡＮＤＳＦ（Access Network Discovery and Selection Function）は、特定のＡＰＮのＰＤＮコネクションをスタティックにｎｏｎ−３ＧＰＰ  Ａｃｃｅｓｓに振り分けるが、輻輳検知を契機にトラフィックをオフロードしていない。
【０００６】
このため、流動的なトラフィックに対して動的に対応することができないという課題がある。
【課題を解決するための手段】
【０００７】
本願において開示される発明の代表的な一例を示せば以下の通りである。すなわち、無線端末と通信する無線通信システムであって、前記無線端末と第１の無線通信方式によって通信する無線基地局と、前記無線基地局を制御する制御装置と、ユーザデータを転送するゲートウェイ装置と、前記無線端末との通信に適用されるポリシーを管理するポリシー制御装置と、前記無線端末との通信に適用されるポリシーを配信するポリシー配信装置とを備え、前記無線基地局又は前記制御装置は、前記無線端末を一意に識別するための識別情報及び前記無線端末の位置の情報を前記ポリシー制御装置に送信し、前記ゲートウェイ装置は、前記無線端末に提供されているコネクション毎のデータ量を測定し、前記測定したデータ量を前記ポリシー制御装置に送信し、前記ポリシー制御装置は、受信した識別情報及びデータ量に基づいて輻輳状態にあるコネクションを特定し、前記特定されたコネクション及び当該コネクションが提供されている無線端末の識別情報を前記ポリシー配信装置に送信し、前記ポリシー配信装置は、前記無線端末の位置の情報に基づいて前記無線端末の接続先となる第２の無線通信方式の無線基地局を選択し、前記選択された無線基地局へ接続するための情報を前記無線端末に送信する。
【発明の効果】
【０００８】
本発明の代表的な実施の形態によれば、輻輳検出を契機にしてトラフィックをオフロードできる。前述した以外の課題、構成及び効果は、以下の実施例の説明により明らかにされる。
【図面の簡単な説明】
【０００９】
【図１】本発明の実施例の通信システムの構成例を示す図である。
【図２】本実施例の端末とネットワークとの間のコネクションを示す図である。
【図３】本実施例の端末とネットワークとの間のコネクションを示す図である。
【図４】本実施例のパケット処理ゲートウェイの構成を示すブロック図である。
【図５】本実施例の通信品質制御ポリシー制御装置の構成を示すブロック図である。
【図６】本実施例の各装置間の接続を示すシーケンス図である。
【図７】本実施例の通信品質制御ポリシー制御装置が保持するテーブルの構成を示す図である。
【図８】本実施例のパケット処理ゲートウェイが保持するテーブルの構成を示す図である。
【図９】本実施例において、基地局が端末／基地局管理装置に対して行う接続シーケンスで使用するメッセージフォーマットの一例を示す図である。
【図１０】本実施例において、無線アクセス輻輳情報を通信品質制御ポリシー制御装置に通知する接続シーケンスで使用するメッセージフォーマットの一例を示す図である。
【図１１】本実施例において、基地局番号及び端末インデックスをパケット処理ゲートウェイに送信する接続シーケンスで使用するメッセージフォーマットの一例を示す図である。
【図１２】本実施例において、ＤＰＩを通信品質制御ポリシー制御装置に通知する接続シーケンスで使用するメッセージフォーマットの一例を示す図である。
【図１３】本実施例において、端末インデックス及びＰＤＮコネクション識別情報をシステムポリシー配信装置に通知する接続シーケンスで使用するメッセージフォーマットの一例を示す図である。
【発明を実施するための形態】
【００１０】
以下、実施例を図面を用いて説明する。
【００１１】
図１は、本実施例の通信システムの構成例を示す図である。
【００１２】
本実施例の通信システムは、３ＧＰＰ無線アクセスネットワーク１０２と、パケット処理ゲートウェイ１０３と、通信品質制御ポリシー制御装置（ＰＣＲＦ）１０４と、システム選択ポリシー配信装置１０５と、非３ＧＰＰ無線アクセスネットワーク１０６と、非３ＧＰＰ無線アクセス用パケット処理ゲートウェイ１０７と、３ＧＰＰネットワーク１０８とを有する。３ＧＰＰ無線アクセスネットワーク１０２は、基地局１０９と、端末／基地局管理装置１１０とを含む。基地局１０９には端末１０１が接続される。
【００１３】
本実施例の通信システムにおいて、端末１０１は、３ＧＰＰ無線アクセスネットワーク１０２を経由してパケット処理ゲートウェイ１０３に接続され、３ＧＰＰネットワーク１０８と接続してＩＰネットワークサービスの提供を受けている。
【００１４】
端末１０１は、図２に示すように、パケット処理ゲートウェイ１０３との間に、複数（例えば３本）のＰＤＮ（Packet Data Network）コネクション２０１を張っている。複数のＰＤＮコネクション２０１は、端末１０１とパケット処理ゲートウェイ１０３とで終端される。
【００１５】
パケット処理ゲートウェイ１０３は、複数のＰＤＮコネクション２０１に対応して、３ＧＰＰネットワーク１０８に対して、図２に示すような複数のＡＰＮ（Access Point Name）コネクション２０２を確立する。端末１０１は、ＰＤＮ３を経由してＡＰＮ３のデータサービスを利用する。
【００１６】
端末１０１と３ＧＰＰネットワーク１０８との間のネットワークは、図６に示すように、端末１０１とパケット処理ゲートウェイ１０３との間のＰＤＮコネクション（ＰＤＮ３）６００と、パケット処理ゲートウェイ１０３と３ＧＰＰネットワーク間で定義され、端末１０１に提供されるＡＰＮデータサービス（ＡＰＮ３）６０１とによって構成される。
【００１７】
図示した例では、端末１０１は、ＡＰＮ３のデータサービスの利用率が、高くなっている状況を想定する。結果的に、ＰＤＮコネクション（ＰＤＮ３）を通過するデータトラヒックが増加している。
【００１８】
基地局１０９は、端末１０１が３ＧＰＰ無線アクセスネットワーク１０２に３ＧＰＰ無線アクセスを行っている基地局である。端末／基地局管理装置１１０は、基地局１０９を経由してパケット処理ゲートウェイ１０３と接続する端末１０１を管理し、かつ基地局１０９の保守を行う。
【００１９】
図４は、パケット処理ゲートウェイ１０３の構成を示す図である。
【００２０】
パケット処理ゲートウェイ１０３は、ＤＰＩ部４０１、テーブル記憶部４０２及び無線アクセス輻輳受信部４０３を有する。ＤＰＩ部４０１は、パケット処理ゲートウェイ１０３で終端するＰＤＮコネクション毎にパケットの内部データを観測する。通信品質制御ポリシー制御装置１０４の各部の動作は後述する。
【００２１】
図２に示すように、端末１０１がＰＤＮコネクション（ＰＤＮ３）を通過するトラヒックデータを増加させたことに起因して、基地局１０９でのＣＰＵ使用率が所定の閾値を超過し、基地局１０９の輻輳が始まっている。
【００２２】
基地局１０９は、自装置のリソース使用状況、例えば、プロセッサ使用率、及び／又は、メモリ利用率と所定の閾値とを比較し、閾値の超過を契機に輻輳を検出する。そして、基地局１０９は、輻輳を検出すると、自装置の端末接続情報、例えば、輻輳検出時の、基地局１０９の配下に在圏する初期端末接続数、基地局１０９の初期セクター番号、及び、端末インデックスを、端末／基地局管理装置１１０に通知する（図６の６０２）。
【００２３】
図９は、基地局１０９が端末／基地局管理装置１１０に対して行う接続シーケンスで使用するメッセージフォーマットの一例を示す。図９に示す例では、この接続シーケンスに通常のＩＰパケットを利用する。ＩＰヘッダ９０１には、ＩＰパケット送信元ＩＰアドレスやＩＰパケット宛先ＩＰアドレスなどを含むパケットルーティング情報が含まれる。ＩＰペイロード９０２には、端末接続情報を設定する。端末接続情報には、初期基地局番号９０３、初期端末接続数９０４、初期セクター（セル）番号９０５及び端末インデックス（電話番号）９０６が含まれる。
【００２４】
通信品質制御ポリシー制御装置１０４は、３ＧＰＰ無線アクセスネットワーク１０２や３ＧＰＰネットワーク１０８の通信品質を制御する。
【００２５】
端末／基地局管理装置１１０は、基地局１０９から受信した端末接続情報に基づいて基地局１０９の配下に在圏する端末１０１を管理し、輻輳制御が必要である判断したら、無線アクセス輻輳情報を通信品質制御ポリシー制御装置１０４に通知する（図６の６０３）。
【００２６】
図１０は、無線アクセス輻輳情報を通信品質制御ポリシー制御装置１０４に通知する接続シーケンスで使用するメッセージフォーマットの一例を示す。図１０に示す例では、この接続シーケンスに通常のＩＰパケットを利用する。ＩＰヘッダ１００１には、ＩＰパケット送信元ＩＰアドレスやＩＰパケット宛先ＩＰアドレスなどを含むパケットルーティング情報が含まれる。ＩＰペイロード１００２には、無線アクセス輻輳情報を設定する。無線アクセス輻輳情報には、輻輳制御発動時点基地局番号１００３、輻輳制御発動時点端末接続数１００４、輻輳制御発動時点セクター（セル）番号１００５及び端末インデックス（電話番号）１００６が含まれる。
【００２７】
通信品質制御ポリシー制御装置１０４は、無線アクセス輻輳情報送受信部（図５の５０１）において、端末／基地局管理装置１１０から受信した無線アクセス輻輳情報を基地局１０９の輻輳監視基地局番号や端末１０１の輻輳監視端末インデックスに変換し、基地局番号及び端末インデックスをパケット処理ゲートウェイ１０３に送信する（図６の６０４）。
【００２８】
図１１は、基地局番号及び端末インデックスをパケット処理ゲートウェイ１０３に送信する接続シーケンスで使用するメッセージフォーマットの一例を示す。図１１に示す例では、通常のＩＰパケットを利用する。ＩＰヘッダ１１０１には、ＩＰパケット送信元ＩＰアドレスやＩＰパケット宛先ＩＰアドレスなどを含むパケットルーティング情報が含まれる。ＩＰペイロード１１０２には、無線アクセス輻輳情報が設定される。無線アクセス輻輳情報には、輻輳監視基地局番号１１０３、輻輳監視端末接続数１１０４、輻輳監視セクター（セル）番号１１０５及び輻輳監視端末インデックス（電話番号）１１０６が含まれる。
【００２９】
通信品質制御ポリシー制御装置１０４のテーブル記憶部５０５は、無線アクセス輻輳情報送受信部５０１による変換処理で利用するテーブルを保持する。
【００３０】
図７に示すように、通信品質制御ポリシー制御装置１０４のテーブル記憶部５０５に保持されるテーブルは、無線アクセス輻輳情報によって端末インデックス７０１を索引として端末１０１を特定できるテーブルであり、端末の識別情報７０２、端末の位置７０３、ＱｏＳ情報７０４、ＰＤＮコネクションの識別情報７０５、ＡＰＮの識別情報７０６、ＰＤＮ毎の疎通情報７０７及び閾値情報７０８などを格納する。
【００３１】
端末の識別情報７０２は、端末１０１を一意に識別するための識別情報であり、例えばＩＭＳＩを使用することができる。端末の位置７０３は、輻輳している端末が在圏しているセル番号、電話番号などである。ＱｏＳ情報７０４は、当該端末のサービスの優先度などである。疎通情報７０７は、ＰＤＮ毎のパケット流量率（ｂｐｓ）などのスタティックな値である。閾値情報７０８は、輻輳していると判定するためのスタティックな基準値である。
【００３２】
パケット処理ゲートウェイ１０３の無線アクセス輻輳受信部４０３は、通信品質制御ポリシー制御装置１０４から受信した輻輳監視基地局番号及び輻輳監視端末インデックスを、ＤＰＩ部４０１に転送する。
【００３３】
ＤＰＩ部４０１は、図２に例示した、端末１０１が提供を受けている３本のＰＤＮコネクション２０１のそれぞれを通過するデータトラヒックの疎通状況を監視している。この例では、前述したように、ＰＤＮコネクション（ＰＤＮ３）を通過するデータトラヒックが増加している。ＤＰＩ部４０１は、ＰＤＮコネクション２０１の疎通状況を監視し、監視結果をＤＰＩとして、所定のタイミング（例えば、定期的）に通信品質制御ポリシー制御装置１０４に通知する（図６の６０５）。
【００３４】
図１２は、ＤＰＩを通信品質制御ポリシー制御装置１０４に通知する接続シーケンスで使用するメッセージフォーマットの一例を示す。図１２に示す例では、通常のＩＰパケットを利用する。ＩＰヘッダ１２０１には、ＩＰパケット送信元ＩＰアドレスやＩＰパケット宛先ＩＰアドレスなどを含むパケットルーティング情報が含まれる。ＩＰペイロード１２０２には、ＤＰＩが設定される。ＤＰＩには、輻輳監視ＰＤＮ番号１２０３、輻輳監視ＡＰＮ番号１２０４、定期監視種別情報１２０５、輻輳監視端末インデックス（電話番号）図１２の１２０６及び疎通情報１２０７が含まれる。
【００３５】
図６のシーケンス図において、シーケンス６０１〜６０５は、ＵＰＣＯＮを用いた輻輳検出の技術を活用することができる。
【００３６】
通信品質制御ポリシー制御装置１０４のテーブル記憶部４０２は、ＤＰＩ部４０１による監視処理で利用するテーブルを保持する。
【００３７】
図８に示すように、パケット処理ゲートウェイ１０３のテーブル記憶部４０２に保持されるテーブルは、端末インデックス８０１で検索し、ＰＤＮコネクションの識別情報８０２、ＡＰＮの識別情報８０３、定期監視の種別８０４及び疎通情報８０５を格納する。
【００３８】
定期監視の種別８０４は、監視周期などである。疎通情報８０５は、ＰＤＮ毎のパケット流量率（ｂｐｓ）などのリアルタイムな観測値である。
【００３９】
ＤＰＩ部４０１は、定期監視の種別８０４に格納された条件に従って、当該端末１０１に提供されている各ＰＤＮコネクションを通過するデータトラヒックを定期的に監視し、監視結果（パケット流量率の値など）をリアルタイムに疎通情報８０５に記録する。
【００４０】
図５は、通信品質制御ポリシー制御装置１０４の構成を示すブロック図である。
【００４１】
通信品質制御ポリシー制御装置１０４は、無線アクセス輻輳情報送受信部５０１、ＤＰＩ受信部５０２、ポリシー制御部５０３、ＤＰＩ送信部５０４及びテーブル記憶部５０５を有する。
【００４２】
無線アクセス輻輳情報送受信部５０１は、端末／基地局管理装置１１０から送信される無線アクセス輻輳情報を受信し、基地局番号や端末識別番号をパケット処理ゲートウェイ１０３へ送信する。ＤＰＩ受信部５０２は、パケット処理ゲートウェイ１０３からＤＰＩを受信する。また、ＤＰＩ受信部５０２は、パケット処理ゲートウェイ１０３から受信したＤＰＩをポリシー制御部５０３に転送し、ポリシー制御をするかを問い合わせる。そして、ＤＰＩ受信部５０２は、テーブル記憶部５０５で保持するＱｏＳ情報やパケット流量率などを参照し、閾値情報などのポリシーに基づくＤＰＩをＤＰＩ送信部５０４へ送る。
【００４３】
ポリシー制御部５０３は、通信品質制御ポリシー制御装置１０４内でパケット処理ゲートウェイ１０３から受信したＤＰＩをテーブル記憶部５０５に格納されたポリシーに基づいて選択し、システム選択ポリシー配信装置１０５へ送信するＤＰＩを決定する。ＤＰＩ送信部５０４は、ＤＰＩ受信部５０２から受信したＤＰＩに基づいて、３ＧＰＰ無線アクセスネットワーク１０２において、輻輳状態にある端末１０１の端末インデックスと、輻輳状態にあるＰＤＮコネクション識別情報とを、システム選択ポリシー配信装置１０５に送信する（図６の６０６）。
【００４４】
図１３は、端末インデックス及びＰＤＮコネクション識別情報をシステム選択ポリシー配信装置１０５に通知する接続シーケンスで使用するメッセージフォーマットの一例を示す。図１３に示す例では、通常のＩＰパケットを利用する。ＩＰヘッダ１３０１には、ＩＰパケット送信元ＩＰアドレスやＩＰパケット宛先ＩＰアドレスなどを含むパケットルーティング情報が含まれる。ＩＰペイロード１３０２には、輻輳状態の端末インデックス１３０３、及び輻輳状態のＰＤＮコネクション識別情報１３０４が設定される。
【００４５】
システム選択ポリシー配信装置１０５は、端末１０１に非３ＧＰＰ無線アクセスネットワーク接続のための情報を提供する装置である。詳細には、システム選択ポリシー配信装置１０５は、通信品質制御ポリシー制御装置１０４から受信した輻輳状態の端末インデックスとＰＤＮコネクション番号に基づいて、システム選択ポリシー配信装置１０５が保持するシステム選択ポリシーを参照して、端末１０１において輻輳状態となっているＰＤＮ番号（ＰＤＮ３）と、非３ＧＰＰ無線アクセスネットワーク１０６を選択するための、例えば、無線ＬＡＮであれば、端末１０１の位置情報を参照して、当該端末１０１が接続可能な無線ＬＡＮアクセスポイントを選択し、前記選択されたアクセスポイントのＳＳＩＤを端末１０１に送信する（図６の６０７）。
【００４６】
端末１０１は、システム選択ポリシー配信装置１０５から受信した無線ＬＡＮのＳＳＩＤに基づいて、輻輳状態となっているＰＤＮコネクション（ＰＤＮ３）を、非３ＧＰＰ無線アクセスネットワーク１０６（例えば、無線ＬＡＮ）に接続を要求する（図６の６０８）。
【００４７】
非３ＧＰＰ無線アクセスネットワーク１０６は、非３ＧＰＰ無線アクセス用パケット処理ゲートウェイ１０７と接続される。非３ＧＰＰ無線アクセス用パケット処理ＧＷ１０７は、パケット処理ゲートウェイ１０３と接続される（図６の６０９、６１０、６１１、６１２）。
【００４８】
図２に示すように、パケット処理ゲートウェイ１０３は３本のＰＤＮコネクション２０１を終端しており、図３に示すように、ＰＤＮコネクション（ＰＤＮ３）の終端先が非３ＧＰＰ無線アクセス用パケット処理ＧＷ１０７に切り替わっても、パケット処理ゲートウェイ１０３は、切替前から提供されていたＡＰＮ３のデータサービスを継続して、切換後のＰＤＮコネクションを経由して端末１０１に提供し続けることができる（図６の６１３）。
【００４９】
本実施例において、ＰＤＮコネクションの切換後、端末１０１は切替前においてパケット処理ゲートウェイ１０３で終端していた３本のＰＤＮコネクションを、切換後は、図３及び図６に示すように、ＰＤＮ１及びＰＤＮ２はパケット処理ゲートウェイ１０３で終端し、ＰＤＮ３は非３ＧＰＰ無線アクセス用パケット処理ＧＷ１０７で終端する。
【００５０】
前述したように、３ＧＰＰ無線アクセスネットワーク１０２で輻輳していたＰＤＮコネクション２０１を通過するデータトラヒックを非３ＧＰＰ無線アクセスネットワーク１０６へ切り替えることによって、３ＧＰＰ無線アクセスネットワーク１０２で発生している輻輳状態を緩和させることができる。
【００５１】
図６のシーケンス図において、シーケンス６０７〜６１３は、ＡＮＤＳＦを用いたシステム選択の技術を活用することができる。
【００５２】
以上に説明したように、本発明の実施例によると、基地局１０９又は端末／基地局管理装置１１０は、端末１０１を一意に識別するための端末インデックス及び端末１０１の位置情報を通信品質制御ポリシー制御装置１０４に送信し、パケット処理ゲートウェイ１０３は、端末１０１に提供されているコネクション毎のデータ量を測定し、測定したデータ量を通信品質制御ポリシー制御装置１０４に送信し、通信品質制御ポリシー制御装置１０４は、受信した端末インデックス及びデータ量に基づいて輻輳状態にあるコネクションを特定し、特定されたコネクション及び当該コネクションが提供されている端末１０１の端末インデックスをシステム選択ポリシー配信装置１０５に送信し、システム選択ポリシー配信装置１０５は、端末１０１の位置の情報に基づいて端末１０１の接続先となる他の方式（ＷｉＦｉ）の無線基地局を選択し、選択された無線基地局へ接続するため情報（ＳＳＩＤ）を端末１０１に送信するので、輻輳検出を契機にしてトラフィックをオフロードでき、流動的なトラフィックに対して動的に対応することができる。
【００５３】
すなわち、従来技術のＡＮＤＳＦによるトラフィックオフロードでは、特定のＡＰＮのＰＤＮコネクションを静的にｎｏｎ−３ＧＰＰ  Ａｃｃｅｓｓに振り分けることは可能であるが、本実施例によれば、しかもＡＮＤＳＦでは実施していない無線アクセスネットワークのセルレベルでの輻輳検出を契機に、動的に輻輳制御をすることができる。
【００５４】
また、通信品質制御ポリシー制御装置１０４は、コネクション毎に定められた閾値とコネクション毎のデータ量とを比較することによって、コネクションが輻輳状態にあるかを判定するので、特定のＡＰＮのＰＤＮコネクションの輻輳を検出でき、特定のＡＰＮのＰＤＮコネクションのトラフィックをオフロードできる。
【００５５】
また、通信品質制御ポリシー制御装置１０４は、端末１０１の端末インデックス、コネクション毎のデータ量及びコネクション毎に定められた閾値を関連付けて記憶するテーブルを有するので、特定のＡＰＮのＰＤＮコネクションの輻輳を検出でき、特定のＡＰＮのＰＤＮコネクションのトラフィックをオフロードできる。
【００５６】
なお、本発明は前述した実施例に限定されるものではなく、添付した特許請求の範囲の趣旨内における様々な変形例及び同等の構成が含まれる。例えば、前述した実施例は本発明を分かりやすく説明するために詳細に説明したものであり、必ずしも説明した全ての構成を備えるものに本発明は限定されない。また、ある実施例の構成の一部を他の実施例の構成に置き換えてもよい。また、ある実施例の構成に他の実施例の構成を加えてもよい。また、各実施例の構成の一部について、他の構成の追加・削除・置換をしてもよい。
【００５７】
また、前述した各構成、機能、処理部、処理手段等は、それらの一部又は全部を、例えば集積回路で設計する等により、ハードウェアで実現してもよく、プロセッサがそれぞれの機能を実現するプログラムを解釈し実行することにより、ソフトウェアで実現してもよい。
【００５８】
各機能を実現するプログラム、テーブル、ファイル等の情報は、メモリ、ハードディスク、ＳＳＤ（Solid State Drive）等の記憶装置、又は、ＩＣカード、ＳＤカード、ＤＶＤ等の記録媒体に格納することができる。
【００５９】
また、制御線や情報線は説明上必要と考えられるものを示しており、実装上必要な全ての制御線や情報線を示しているとは限らない。実際には、ほとんど全ての構成が相互に接続されていると考えてよい。
【符号の説明】
【００６０】
１０１  端末
１０２  ３ＧＰＰ無線アクセスネットワーク
１０３  パケット処理ゲートウェイ
１０４  通信品質制御ポリシー制御装置（ＰＣＲＦ）
１０５  システム選択ポリシー配信装置（ＡＮＤＳＦ）
１０６  非３ＧＰＰ無線アクセスネットワーク
１０７  非３ＧＰＰ無線アクセス用パケット処理ゲートウェイ
１０８  ３ＧＰＰネットワーク
１０９  基地局
１１０  端末／基地局管理装置
２０１  ＰＤＮコネクション
２０２  ＡＰＮデータサービス
４０１  ＤＰＩ部
４０２  テーブル記憶部
４０３  無線アクセス輻輳受信部
５０１  無線アクセス輻輳情報送受信部
５０２  ＤＰＩ受信部
５０３  ポリシー制御部
５０４  ＤＰＩ送信部
５０５  テーブル記憶部
【図１】
2016149619.tif 000003
【図２】
2016149619.tif 000004
【図３】
2016149619.tif 000005
【図４】
2016149619.tif 000006
【図５】
2016149619.tif 000007
【図６】
2016149619.tif 000008
【図７】
2016149619.tif 000009
【図８】
2016149619.tif 000010
【図９】
2016149619.tif 000011
【図１０】
2016149619.tif 000012
【図１１】
2016149619.tif 000013
【図１２】
2016149619.tif 000014
【図１３】
2016149619.tif 000015